(57)【要約】【課題】本発明は、発電機の発電電圧を調整することにより、バッテリと協調して、車両の燃費効果を得る技術に関し、特に高速巡航時の惰行時にオルタネータの電圧を下げてエンジンの負荷を低減し、燃費効果を得ることを目的としている。【解決手段】このため、車両にエンジンと発電機とバッテリとを搭載し、発電機の発電状態を制御する車両用発電制御装置において、減速状態検出手段と車速検出手段とを備え、減速状態で、燃料カット状態で、かつ検出された車速が設定された値より高い場合には、発電機の調整電圧を基準設定電圧より低い第１固定値に設定する高車速制御手段を備える。また、登坂走行検出手段を備え、登坂走行時で、回生発電制御領域に入っている場合でも回生発電を禁止し、高車速制御手段を実施している。更に、降坂走行検出手段を備え、降坂走行時には、高車速制御手段を実施している。【選択図】図１
2006249986.tif 000002
【特許請求の範囲】
【請求項１】
車両に、エンジンと前記エンジンによって駆動される発電機とこの発電機により充電可能なバッテリとを搭載し、前記発電機の発電状態を制御する車両用発電制御装置において、前記車両の減速状態を検出する減速状態検出手段を備え、車両速度を検出可能な車速検出手段を備え、前記減速検出手段により減速状態であると検出され、燃料カット状態で、かつ前記車速検出手段により検出された車速が設定された値より高い場合には、前記発電機の調整電圧を基準設定電圧より低い第１固定値に設定する高車速制御手段を備えていることを特徴とする車両用発電制御装置。
【請求項２】
前記第１固定値が、前記バッテリの開放電圧以上であるかどうかにより、調整電圧を第１固定値から基準設定電圧に戻す条件を変えていることを特徴とする請求項１に記載の車両用発電制御装置。
【請求項３】
車両に、エンジンと前記エンジンによって駆動される発電機とこの発電機により充電可能なバッテリとを搭載し、前記発電機の発電状態を制御する車両用発電制御装置において、前記車両の減速状態を検出する減速状態検出手段を備え、車両速度を検出可能な車速検出手段を備え、登坂走行しているかどうかを検出可能な登坂走行検出手段を備え、前記減速検出手段により減速状態であると検出され、燃料カット状態で、かつ前記車速検出手段により検出された車速が設定された値より高い場合に、前記発電機の調整電圧を基準設定電圧より低い第１固定値に設定する高車速制御手段を備え、前記登坂走行検出手段により登坂走行時であると検出され、回生発電制御領域に入っている場合でも回生発電を禁止し、前記高車速制御手段を実施していることを特徴とする車両用発電制御装置。
【請求項４】
車両に、エンジンと前記エンジンによって駆動される発電機とこの発電機により充電可能なバッテリとを搭載し、前記発電機の発電状態を制御する車両用発電制御装置において、前記車両の減速状態を検出する減速状態検出手段を備え、車両速度を検出可能な車速検出手段を備え、降坂走行しているかどうかを検出可能な降坂走行検出手段を備え、前記減速検出手段により減速状態であると検出され、燃料カット状態で、かつ前記車速検出手段により検出された車速が設定された値より高い場合に、前記発電機の調整電圧を基準設定電圧より低い第１固定値に設定する高車速制御手段を備え、前記降坂走行検出手段により降坂走行時であると検出されたときには、前記高車速制御手段を実施していることを特徴とする車両用発電制御装置。
【発明の詳細な説明】
【技術分野】
【０００１】
この発明は車両用発電制御装置に係り、発電機（「オルタネータ」ともいう。）の発電電圧を調整することにより、バッテリと協調して、車両の燃費効果を得る技術に関し、特に高速巡航時の惰行時にオルタネータの電圧を下げてエンジンの負荷を低減し、燃費効果を得る車両用発電制御装置に関するものである。
【背景技術】
【０００２】
通常、オルタネータは、エンジンとギヤないしベルトからなる駆動伝達部材で連結され、エンジンの回転によって発電される。
【０００３】
バッテリを含む負荷側の要求を吸収するために、フィールドコイルに流す電流を、内蔵するレギュレータ回路で調整している。
【０００４】
前記オルタネータの主な役割は、ライトやエアコンディショナ等への給電を行うことであるが、これにはその電気負荷に応じてエンジンへ発電のためのトルクを要求することになる。
【０００５】
特許文献１０に記載される特開平９−３２７１９９号公報は、加速状態においてエンジン回転数の変化率が所定の上昇基準値以上であると、通常の目標出力電圧値よりも低い低電圧値を指示する。この指示された低電圧値を実現するためのデューティ比でフィールドコイルに流す励磁電流を制御する方法を述べている。
【０００６】
特許文献４に記載される特開昭６１−１２９４３３号公報は、スロットル開度が所定スロットル開度値よりも大きい場合やエンジン回転数が所定エンジン回転数よりも低い場合に、オルタネータの発電を完全に停止することにより、エンジン出力のロスを低減して加速性能やアイドリング時の安定性の向上を図っている。
【０００７】
また、例えば、特許文献２に記載される特開昭５８−１３１３４２号公報は、エンジン回転数が所定エンジン回転数よりも低くなった場合には、オルタネータの発電を停止、または抑制することにより、アイドリング時の運転状態の安定化を図っている。
【０００８】
更に、例えば、特許文献７に記載される特開平５−６４４９８号公報は、スロットル開度と吸入空気量との変化に基づいて加速の状態を３段階に分け、各段階に適切な発電量を設定することにより、過度な発電抑制を防止しつつ、加速性能の向上を図っている。
【０００９】
オイルネータの負荷情報を取り込んで、電気負荷応答をＩＳＣ（「アイドル・スピード・コントロール」ともいう。）制御を行う特許文献８に記載される特開平７−１６０７１３号公報等も見られる。
【００１０】
一方、例えば、特許文献５に記載される特開平２−１６３４３号公報等では、通常運転時にはオルタネータの発電を抑制し、減速時回生について述べている。
【００１１】
【特許文献１】特開昭５７−１３１８４０号公報
【特許文献２】特開昭５８−１３１３４２号公報
【特許文献３】特開昭６１−１０４１２９号公報
【特許文献４】特開昭６１−１２９４３３号公報
【特許文献５】特開平２−１６３４３号公報
【特許文献６】特開平２−２０６３０１号公報
【特許文献７】特開平５−６４４９８号公報
【特許文献８】特開平７−１６０７１３号公報
【特許文献９】特開平７−２６４７０８号公報
【特許文献１０】特開平９−３２７１９９号公報
【特許文献１１】特開２０００−２０４９９５号公報
【発明の開示】
【発明が解決しようとする課題】
【００１２】
ところで、回生の技術に関しては、減速時のエネルギを運動エネルギとして回収する方法や、減速時の運動エネルギを電力として回収する方法等が提案されている。
【００１３】
前者としては、特許文献１に記載される特開昭５７−１３１８４０号公報のオルタネータ、フライホイール、エアコンコンプレッサ等を駆動することによりエネルギを回収する技術や、特許文献３に記載される特開昭６１−１０４１２９号公報に開示されているように、エンジンの減速時に発生するエネルギをスロット開度調整のためのポンピングトルクと発電機トルクとに分担して配分し、発電機側でバッテリの充電目標電圧を定常値より高く設定して負荷分担を増加させ、エネルギを回収する技術がある。
【００１４】
また、後者としては、特許文献６に記載される特開平２−２０６３０１号公報のように、インバータ制御手段により内燃機関の主軸に接続された交流発電機を動作させ、その発電電力を、第１の充電制御回路により第１の二次電池に回生充電するとともに、この第１の二次電池に蓄えられた電力を、第２の充電制御回路により第２の二次電池に充電することにより、減速時の運動エネルギを回収する技術や、特許文献９に記載される特開平７−２６４７０８号公報のように、その回生電力をコンデンサに蓄える技術が開示されている。
【００１５】
これらの文献は、オルタネータの効率の悪いオルタネータの低回転部分はバッテリで放電し、高回転時にバッテリへ充電して収支を「０（ゼロ）」にし、トータルとして燃料消費量を少なくしようとするものである。
【００１６】
しかし、車両が高速、エンジンが高回転の状態では、単純に電力を回収する方法が取られているため、この方法では、高速巡航時の燃費改善が望めないという不都合がある。
【００１７】
この発明は、高速巡航時の惰行状態を検知し、その惰行状態においてオルタネータを通常の調整電圧を基準設定電圧よりも低い電圧値である第１固定値に設定し、電気負荷の一部ないし全部をバッテリに肩代わりさせることにより、エンジンの負荷を低減させ、惰行距離を伸ばすことを目的としている。
【００１８】
このとき、高速時の惰行状態は、スロットル・オフで、車速が所定値である設定された値より高く、燃料カット中、つまり燃料カット状態である等の諸条件を満足するものとする。
【課題を解決するための手段】
【００１９】
そこで、この発明は、上述不都合を除去するために、車両に、エンジンと前記エンジンによって駆動される発電機とこの発電機により充電可能なバッテリとを搭載し、前記発電機の発電状態を制御する車両用発電制御装置において、前記車両の減速状態を検出する減速状態検出手段を備え、車両速度を検出可能な車速検出手段を備え、前記減速検出手段により減速状態であると検出され、燃料カット状態で、かつ前記車速検出手段により検出された車速が設定された値より高い場合には、前記発電機の調整電圧を基準設定電圧より低い第１固定値に設定する高車速制御手段を備えていることを特徴とする。
【００２０】
また、車両に、エンジンと前記エンジンによって駆動される発電機とこの発電機により充電可能なバッテリとを搭載し、前記発電機の発電状態を制御する車両用発電制御装置において、前記車両の減速状態を検出する減速状態検出手段を備え、車両速度を検出可能な車速検出手段を備え、登坂走行しているかどうかを検出可能な登坂走行検出手段を備え、前記減速検出手段により減速状態であると検出され、燃料カット状態で、かつ前記車速検出手段により検出された車速が設定された値より高い場合に、前記発電機の調整電圧を基準設定電圧より低い第１固定値に設定する高車速制御手段を備え、前記登坂走行検出手段により登坂走行時であると検出され、回生発電制御領域に入っている場合でも回生発電を禁止し、前記高車速制御手段を実施していることを特徴とする。
【００２１】
更に、車両に、エンジンと前記エンジンによって駆動される発電機とこの発電機により充電可能なバッテリとを搭載し、前記発電機の発電状態を制御する車両用発電制御装置において、前記車両の減速状態を検出する減速状態検出手段を備え、車両速度を検出可能な車速検出手段を備え、降坂走行しているかどうかを検出可能な降坂走行検出手段を備え、前記減速検出手段により減速状態であると検出され、燃料カット状態で、かつ前記車速検出手段により検出された車速が設定された値より高い場合に、前記発電機の調整電圧を基準設定電圧より低い第１固定値に設定する高車速制御手段を備え、前記降坂走行検出手段により降坂走行時であると検出されたときには、前記高車速制御手段を実施していることを特徴とする。
【発明の効果】
【００２２】
以上詳細に説明した如くこの本発明によれば、車両に、エンジンとエンジンによって駆動される発電機とこの発電機により充電可能なバッテリとを搭載し、発電機の発電状態を制御する車両用発電制御装置において、車両の減速状態を検出する減速状態検出手段を備え、車両速度を検出可能な車速検出手段を備え、減速検出手段により減速状態であると検出され、燃料カット状態で、かつ車速検出手段により検出された車速が設定された値より高い場合には、発電機の調整電圧を基準設定電圧より低い第１固定値に設定する高車速制御手段を備えていることにより、発電機がエンジンの負荷となっている時間を短縮し、燃料カット時間を延ばすことができ、燃料消費量を低減することが可能である。
【００２３】
また、車両に、エンジンとエンジンによって駆動される発電機とこの発電機により充電可能なバッテリとを搭載し、発電機の発電状態を制御する車両用発電制御装置において、車両の減速状態を検出する減速状態検出手段を備え、車両速度を検出可能な車速検出手段を備え、登坂走行しているかどうかを検出可能な登坂走行検出手段を備え、減速検出手段により減速状態であると検出され、燃料カット状態で、かつ車速検出手段により検出された車速が設定された値より高い場合に、発電機の調整電圧を基準設定電圧より低い第１固定値に設定する高車速制御手段を備え、登坂走行検出手段により登坂走行時であると検出され、回生発電制御領域に入っている場合でも回生発電を禁止し、高車速制御手段を実施していることにより、登坂走行時において、アクセルを一瞬戻すような状況でも、必要以上に減速感を運転者に与えることがなく、スムーズな走行を実現可能である。
【００２４】
更に、車両に、エンジンとエンジンによって駆動される発電機とこの発電機により充電可能なバッテリとを搭載し、発電機の発電状態を制御する車両用発電制御装置において、車両の減速状態を検出する減速状態検出手段を備え、車両速度を検出可能な車速検出手段を備え、降坂走行しているかどうかを検出可能な降坂走行検出手段を備え、減速検出手段により減速状態であると検出され、燃料カット状態で、かつ車速検出手段により検出された車速が設定された値より高い場合に、発電機の調整電圧を基準設定電圧より低い第１固定値に設定する高車速制御手段を備え、降坂走行検出手段により降坂走行時であると検出されたときには、高車速制御手段を実施していることにより、降坂走行時において、アクセルを一瞬戻すような状況でも、必要以上に加速感を運転者に与えることがなく、スムーズな走行を実現可能である。
【発明を実施するための最良の形態】
【００２５】
上述の如く発明したことにより、減速検出手段により減速状態であると検出され、燃料カット状態で、かつ車速検出手段により検出された車速が設定された値より高い場合には、高車速制御手段によって発電機の調整電圧を基準設定電圧より低い第１固定値に設定し、発電機がエンジンの負荷となっている時間を短縮し、燃料カット時間を延ばして燃料消費量の低減を可能としている。
【００２６】
また、減速検出手段により減速状態であると検出され、燃料カット状態で、かつ車速検出手段により検出された車速が設定された値より高い場合には、高車速制御手段によって発電機の調整電圧を基準設定電圧より低い第１固定値に設定するとともに、登坂走行検出手段により登坂走行時であると検出され、回生発電制御領域に入っている場合でも回生発電を禁止し、高車速制御手段を実施し、登坂走行時において、アクセルを一瞬戻すような状況でも、必要以上に減速感を運転者に与えることがなく、スムーズな走行の実現を可能としている。
【００２７】
更に、減速検出手段により減速状態であると検出され、燃料カット状態で、かつ車速検出手段により検出された車速が設定された値より高い場合には、高車速制御手段によって発電機の調整電圧を基準設定電圧より低い第１固定値に設定するとともに、降坂走行検出手段により降坂走行時であると検出されたときには、高車速制御手段を実施し、降坂走行時において、アクセルを一瞬戻すような状況でも、必要以上に加速感を運転者に与えることがなく、スムーズな走行の実現を可能としている。
【実施例１】
【００２８】
以下図面に基づいてこの発明の実施例を詳細に説明する。
【００２９】
図１〜図４はこの発明の第１実施例を示すものである。図２において、２は図示しない車両に搭載されるエンジン、４は発電機（「オルタネータ」ともいう。）、６は発電機４の発電状態を制御する車両用発電制御装置である。
【００３０】
前記車両用発電制御装置６は、駆動用エンジン２と、このエンジン２にベルトやギヤ等の駆動伝達部材８で連結された発電機４と、バッテリ（図示せず）とを基本構成としている。
【００３１】
そして、前記発電機４の代わりとしては、ベルトやギヤ等の駆動伝達部材８で連結、または図示しないクランク軸に直結されたモータジェネレータ（「ＭＧ」ともいう。）が考えられる。
【００３２】
また、前記発電機４は、電気負荷となるライト（図示せず）やエアコンコンディショナ（図示せず）等に電気を供給している。
【００３３】
前記発電機４は、調整電圧を段階的、あるいは無段階に調整できる機能を有し、信号によりエンジン制御装置１０から指令を受ける構成を有している。
【００３４】
つまり、図２に示す如く、前記エンジン制御装置１０は、前記エンジン２に接続され、エンジン２側からエンジン回転数検出センサ（図示せず）により検出されたエンジン回転数信号を入力するとともに、エンジン２側に燃料噴射量等の各種制御信号を出力する。
【００３５】
更に、前記エンジン制御装置１０は、前記発電機４に接続され、発電機４側からフィールド電流、オルタネータ温度である発電機温度の信号を入力するとともに、発電機４側に調整電圧指示信号を出力する。
【００３６】
前記エンジン制御装置１０には、エンジン冷却水温度である水温を検出する水温センサ１２と、吸気管内温度である吸気温を検出する吸気温センサ１４と、車両速度である車速を検出する車速センサ１６と、ブースト圧を検出するブースト圧センサ１８と、スロットルバルブ（図示せず）のスロットルポジションを検出するスロツトルポジションセンサ２０と、燃料噴射量を検出する燃料噴射量検出センサ（図示せず）と、バッテリ充放電電流を検出するバッテリ充放電電流検出センサ２２と、電気負荷電流を検出する電気負荷電流検出センサ２４と、車両の傾斜角を検出する傾斜角検出センサ２６とが夫々接続される。
【００３７】
そして、前記エンジン制御装置１０への入力関数として、エンジン冷却水温度である水温、吸気管内温度である吸気温、車速、エンジン回転数、燃料噴射量、スロットルポジション、ブースト圧、バッテリ電圧、バッテリ温度、オルタネータ温度である発電機温度、オルタネータ発電電流であるフィールド電流、電気負荷電流、バッテリ充放電電流、傾斜角等の１つ以上を持つ構成を有する。
【００３８】
なお、オートマチック車両（「ＡＴ車両」ともいう。）である場合には、ＡＴＦ温度、シフトポジション等の情報が追加入力され、マニュアルトランスミッション車両（「ＭＴ車両」ともいう。）である場合には、クラッチポジション、あるいはスイッチ情報、ニュートラルスイッチ情報が追加されてもよい。
【００３９】
このとき、前記車両の減速状態を検出する減速状態検出手段２８を備え、車両速度を検出可能な車速検出手段である前記車速センサ１６を備え、前記減速検出手段２８により減速状態であると検出され、燃料カット状態で、かつ前記車速検出手段である前記車速センサ１６により検出された車速が設定された値Ｖｓｐｈｈより高い場合には、前記発電機４の調整電圧を基準設定電圧より低い第１固定値に設定する高車速制御手段３０を備える構成とする。
【００４０】
詳述すれば、前記車両用発電制御装置６は、エンジン低回転、低車速においてアイドル時や加速時の発電機４の調整電圧を低減させ、エンジン２の負荷を低減し、惰行時や減速時に回生発電を行う制御を基本としているシステムである。
【００４１】
そして、前記エンジン制御装置１０に、図２に示す如く、減速状態検出手段２８及び高車速制御手段３０を内蔵して設ける。なお、減速状態検出手段２８及び高車速制御手段３０の配置状態としては、上述した内蔵以外にも、前記エンジン制御装置１０とは別体状態とすることも可能である。
【００４２】
前記高車速制御手段３０は、減速時の燃料カット開始時、つまり燃料カット状態で、車速が設定された値Ｖｓｐｈｈより高い場合に、随行時カットを実施し、前記発電機４の調整電圧を基準設定電圧（「通常の調整電圧」ともいう。）より低い調整電圧である第１固定値に設定するものである。
【００４３】
また、この第１固定値が、前記バッテリの開放電圧以上であるかどうかにより、調整電圧を第１固定値から基準設定電圧に戻す条件を変える機能をも有している。
【００４４】
電圧の設定は、前記エンジン制御装置１０から発電機４のレギュレータ（図示せず）に伝えられ、伝達方法は、デューティ信号、アナログ信号、ＣＡＮ（自動車内のＬＡＮ（Ｌｏｃａｌ  Ａｒｅａ  Ｎｅｔｗｏｒｋ）規格）等の通信方法が考えられる。通常は、安価で信頼性の高いデューティ信号で伝達される。この場合この制御系において、デューティで与えられた指示は、バッテリのコンディショナ等の情報をフィードバックすることによって、任意の調整電圧を得る方法を有している。
【００４５】
次に作用を説明する。
【００４６】
前記車両の高速惰行時において、車両情報により所定の条件を満足した場合には、前記発電機４の調整電圧を通常の調整電圧である基準設定電圧より低い調整電圧である第１固定値に設定される。これは、低回転、低車速であれば、通常の回生制御が行われる条件である。
【００４７】
このとき、基準設定電圧から第１固定値に至る方法は、直ちにでもよい。ただし、負荷が急激に軽くなることによりエンジン回転数の吹け上がりは、車両運転者に不快感を与える恐れがあるため、移行時間が任意に設定され、エンジン２の回転変動がないように考慮される。
【００４８】
また、高速惰行開始から切り替えまでの遅延時間を設ける。これはショック低減のための処置であり、上述した徐変動作と組み合わせてもよい。同時に、エンジン２のＩＳＣ（「アイドル・スピード・コントロール」ともいう。）制御と同期させてもよい。
【００４９】
前記第１固定値に設定されると、バッテリの電圧が第１固定値に落ちるまでの間、エンジン２の電気負荷がバッテリにより一部あるいは全部が肩代わりされる。
【００５０】
この第１固定値が、バッテリの開放電圧より高ければ、図４に示す如く、バッテリはそのコンデンサ成分容量に応じた放電時間を示し、設定初期に負荷が大きく低減し、やがて発電機４の電気負荷は、通常の調整電圧である基準設定電圧でバッテリへ充電を行っていた電流を一部あるいは全部を除く分となる。
【００５１】
前記第１固定値におけるバッテリへの充電量は、第１固定値とバッテリ開放電圧との差、バッテリ温度、エンジン回転数等によって変化するが、基本的にはバッテリがこの場合は放電しない電圧であればよい。
【００５２】
この方法のメリットは、長時間の惰行でも特別な制御を特に必要としないことである。
【００５３】
また、別の方法としては、前記第１固定値をバッテリ開放電圧より低い値に設定する方法である。
【００５４】
この場合には、図４に示す如く、バッテリの放電は継続され、バッテリの放電量に応じてエンジンの負荷は低減される。
【００５５】
このとき、所定時間以上、惰行運転が継続した場合には、第１固定値から、バッテリ開放電圧より高い第２固定値、または通常の調整電圧である基準設定電圧に切り替えられる。このような場合も、切り替える際の移行速度を任意に設定できる。同時に、エンジン２のＩＳＣ（「アイドル・スピード・コントロール」ともいう。）制御との同期も可能である。
【００５６】
更に、バッテリ情報を利用できる場合、つまりバッテリの充放電電流を電流センサからなる前記バッテリ充放電電流検出センサ２２等で検知し、このＳＯＣや残容量を把握している場合では、ＳＯＣや残容量の下限閾値まで第１固定値を維持することができる。
【００５７】
この下限閾値は、１回の制御（「惰行時制御」ともいう。）での操作量でもよく、バッテリの絶対下限値でもよい。
【００５８】
この惰行時制御は、車速により回生と切り分けられる。その速度の設定値にはヒステリシスが設けられ、境界速度でハンチング現象が起きないようにしている。また、どちらにも属さない緩衝速度域を設けてもよい。
【００５９】
マニュアルトランスミッション車両の場合には、クラッチ操作の有無と関係なく、ニュートラルが検出されると回転が急激に低下し、燃料カット（「Ｆ／Ｃ」ともいう。）からの復帰とともに移行すると、エンジン回転数のアンダシュートの恐れがあるため、ニュートラル検出から所定時間後に通常の調整電圧である基準設定電圧、あるいは第２固定値に移行する。
【００６０】
復帰ショックを低減するための復帰時にも、遅延時間を設ける。この手法は設定時にも適用できる。
【００６１】
また、オートマチック車両の場合には、エンジン回転数が所定値以下となり、燃料カット復帰に準じて調整電圧、つまり通常の調整電圧である基準設定電圧や第１、第２固定値の移行を行う。ギヤダウンして再度燃料カットに戻ると、惰行時制御を再開する。車速条件にて移行動作をした場合には、アクセル操作に変化がなくても再開しない。それ以降は回生制御となる場合があるためである。
【００６２】
これらの作用により、燃料噴射のカット、つまり燃料カット時間が伸び、高速走行時の燃費向上が期待できる。
【００６３】
図１の前記車両用発電制御装置６の制御用フローチャートに沿って説明する。
【００６４】
制御用プログラムが開始（１００）されると、減速時燃料カット開始か否かの判断（１０２）を行い、この判断（１０２）がＹＥＳの場合には、車速が設定された値Ｖｓｐｈｈより高い、例えば以上であるか否かの判断（１０４）に移行する。
【００６５】
そして、車速が設定された値Ｖｓｐｈｈより高い、例えば以上であるか否かの判断（１０４）において、この判断（１０４）がＮＯの場合には、車速が設定された第２の値Ｖｓｐｌｈより低いか否かの判断（１０６）に移行し、判断（１０４）がＹＥＳの場合には、惰行時カットの処理（１０８）に移行する。
【００６６】
このとき、前記設定された値Ｖｓｐｈｈと設定された第２の値Ｖｓｐｌｈとは、
Ｖｓｐｈｈ＞Ｖｓｐｈｌ＞Ｖｓｐｌｈ
の関係を満足させるものとする。
【００６７】
また、上述の車速が設定された第２の値Ｖｓｐｌｈより低いか否かの判断（１０６）において、この判断（１０６）がＹＥＳの場合には、回生制御の処理（１１０）に移行し、前記発電機４の調整電圧を通常の調整電圧である基準設定電圧より高い調整電圧である第２固定値に設定する処理（１１２）に移行するとともに、判断（１０６）がＮＯの場合には、通常制御の処理（１１４）に移行し、前記発電機４の調整電圧を通常の調整電圧である基準設定電圧に設定する処理（１１６）に移行する。
【００６８】
上述した惰行時カットの処理（１０８）の後には、前記発電機４の調整電圧を通常の調整電圧である基準設定電圧より低い調整電圧である第１固定値に設定する処理（１１８）に移行し、発電機４の調整電圧である第１固定値がバッテリ開放電圧以上であるか否かの判断（１２０）に移行する。
【００６９】
この判断（１２０）がＹＥＳの場合には、大きな容量のバッテリに向いた設定方法で、電圧降下速度が小さく、効果が期待できるヴァリエーションＡに移行し、判断（１２０）がＮＯの場合には、バッテリの容量や各種情報を監視する必要があるヴァリエーションＢに移行する。
【００７０】
つまり、判断（１２０）がＹＥＳの場合に、ヴァリエーションＡに移行した際には、バッテリ電圧が発電機４の調整電圧である第１固定値まで下降しても放電しないため、解除指示があるまで制御を継続する処理（１２２）に移行し、以下のいずれかの条件が成立するか否かの判断（１２４）に移行する。
（１）所定時間経過
（２）ニュートラル検出
（３）燃料カット終了
（４）車速＜Ｖｓｐｈｌとなった。
【００７１】
そして、判断（１２４）において、いずれの条件も成立せず、判断（１２４）がＮＯの場合には、バッテリ電圧が発電機４の調整電圧である第１固定値まで下降しても放電しないため、解除指示があるまで制御を継続する処理（１２２）に戻り、いずれかの条件が成立し、判断（１２４）がＹＥＳとなった場合には、発電機４の調整電圧を、第１固定値から通常の調整電圧である基準設定電圧に移行させる処理（１２６）に移行し、その後に制御用プログラムの終了（１３２）に移行する。
【００７２】
また、上述の発電機４の調整電圧である第１固定値がバッテリ開放電圧以上であるか否かの判断（１２０）において、この判断（１２０）がＮＯの場合に、ヴァリエーションＢに移行した際には、以下のいずれかの条件が成立するか否かの判断（１２８）に移行する。
（１）所定時間経過
（２）ＳＯＣ下限閾値以下となった。
（３）当該カット放電許容値を超えた。
（４）ニュートラル検出
（５）燃料カット終了
（６）車速＜Ｖｓｐｈｌとなった。
【００７３】
そして、判断（１２８）において、いずれの条件も成立せず、判断（１２８）がＮＯの場合には、この判断（１２８）をＹＥＳとなるまで、判断（１２８）を継続して行い、いずれかの条件が成立し、判断（１２８）がＹＥＳとなった場合には、発電機４の調整電圧を、バッテリ放電電圧以上の発電機４の調整電圧である第２固定値、あるいは通常の調整電圧である基準設定電圧に移行させる処理（１３０）に移行し、その後に制御用プログラムの終了（１３２）に移行する。
【００７４】
これにより、前記車両の減速状態を検出する減速状態検出手段２８を備え、車両速度を検出可能な車速検出手段である前記車速センサ１６を備え、前記減速検出手段２８により減速状態であると検出され、燃料カット状態で、かつ前記車速検出手段である前記車速センサ１６により検出された車速が設定された値Ｖｓｐｈｈより高い場合には、前記発電機４の調整電圧を基準設定電圧より低い第１固定値に設定する高車速制御手段３０を備えることによって、前記発電機４がエンジン２の負荷となっている時間を短縮し、燃料カット時間を延ばすことができ、燃料消費量を低減することが可能である。
【００７５】
また、前記第１固定値が、前記バッテリの開放電圧以上であるかどうかにより、調整電圧を第１固定値から基準設定電圧に戻す条件を変える機能をも有していることにより、バッテリ開放電圧以上かどうかによって、通常制御へ戻す条件を変更しており、バッテリが過放電することなく、燃料消費量を低減することができる。
【実施例２】
【００７６】
図５はこの発明の第２実施例を示すものである。この第２実施例において、上述第１実施例のものと同一機能を果たす箇所には、同一符号を付して説明する。
【００７７】
この第２実施例の特徴とするところは、登坂走行時を考慮するために、登坂走行しているかどうかを検出可能な登坂走行検出手段を備えた点にある。
【００７８】
すなわち、図１を参照すれば、車両に、エンジン２と前記エンジン２によって駆動される発電機４とこの発電機４により充電可能なバッテリとを搭載し、前記発電機４の発電状態を制御する車両用発電制御装置６において、前記車両の減速状態を検出する減速状態検出手段２８を備え、車両速度を検出可能な車速検出手段である車速センサ１６を備え、登坂走行しているかどうかを検出可能な登坂走行検出手段として機能させる傾斜角検出センサ２６を備え、前記減速検出手段２８により減速状態であると検出され、燃料カット状態で、かつ前記車速検出手段である車速センサ１６により検出された車速が設定された値より高い場合に、前記発電機４の調整電圧を基準設定電圧より低い第１固定値に設定する高車速制御手段３０を備え、前記登坂走行検出手段である傾斜角検出センサ２６により登坂走行時であると検出され、回生発電制御領域に入っている場合でも回生発電を禁止し、前記高車速制御手段３０を実施する構成を有している。
【００７９】
詳述すれば、登坂時、傾斜角検出センサ２６等の入力、あるいはエンジン回転数と車速から登坂と推測された場合も、減速度が大きくならないように、スロットル・オフにおいて回生を禁止し、上述第１実施例のような惰行時制御を選択できるものである。
【００８０】
パラメータとしては、バッテリ温度やバッテリＳＯＣ（あるいは残容量）、加速時燃料カットの有無等がある。
【００８１】
また、バッテリ温度が低い場合には、バッテリの充電受け入れ性が低下するために、過度の放電は避けなければいけない。このような理由から、所定温度以下では、加速時燃料カットと同様に、バッテリ低温化では禁止される。
【００８２】
バッテリ温度が正常でも、バッテリＳＯＣ、あるいは残容量が低い場合も禁止となる。
【００８３】
バッテリＳＯＣの正常範囲にあって、加速時燃料カットが頻繁に使用されている状況下では、バッテリＳＯＣの低下率が上がり、所定の低下速度を越える状況では、回生制御を禁止することができないため、登坂においても、以上の惰行時制御を選択できない。
【００８４】
図５の前記車両用発電制御装置６の制御用フローチャートに沿って説明する。
【００８５】
制御用プログラムが開始され、燃料カット開始の処理（２００）に移行すると、車速が設定された値Ｖｓｐｌｈの回生領域未満であるか否かの判断（２０２）を行い、この判断（２０２）がＹＥＳの場合には、以下の条件が成立するか否かの判断（２０４）に移行し、
（１）直前に加速カットを行ったか？
（２）バッテリＳＯＣは適正範囲か？
（３）バッテリ温度は適正か？
（４）バッテリＳＯＣ低下率が許容範囲か？  等
判断（２０２）がＮＯの場合には、傾斜角検出センサ２６による登坂判定、つまり登坂走行であるか否かの判断（２０６）に移行する。
【００８６】
そして、この傾斜角検出センサ２６による登坂判定、つまり登坂走行であるか否かの判断（２０６）において、判断（２０６）がＹＥＳの場合には、上述の条件が成立するか否かの判断（２０４）に移行し、判断（２０６）がＮＯの場合には、オートマチック車両（「ＡＴ車両」ともいう。）による登坂判定情報であるか否かの判断（２０８）に移行する。
【００８７】
このオートマチック車両（「ＡＴ車両」ともいう。）による登坂判定情報であるか否かの判断（２０８）において、判断（２０８）がＹＥＳの場合には、上述の条件が成立するか否かの判断（２０４）に移行し、判断（２０８）がＮＯの場合には、車速、エンジン回転数による登坂判定、つまり登坂走行であるか否かの判断（２１０）に移行する。
【００８８】
また、車速、エンジン回転数による登坂判定、つまり登坂走行であるか否かの判断（２１０）において、この判断（２１０）がＹＥＳの場合には、上述の条件が成立するか否かの判断（２０４）に移行し、この判断（２０４）がＹＥＳの場合には、回生条件でも惰行時カットを行う、つまり前記高車速制御手段３０を実施する処理（２１２）に移行する。
【００８９】
さすれば、車両に、エンジン２と前記エンジン２によって駆動される発電機４とこの発電機４により充電可能なバッテリとを搭載し、前記発電機４の発電状態を制御する車両用発電制御装置６において、前記車両の減速状態を検出する減速状態検出手段２８を備え、車両速度を検出可能な車速検出手段である車速センサ１６を備え、登坂走行しているかどうかを検出可能な登坂走行検出手段として機能させる傾斜角検出センサ２６を備え、前記減速検出手段２８により減速状態であると検出され、燃料カット状態で、かつ前記車速検出手段である車速センサ１６により検出された車速が設定された値より高い場合に、前記発電機４の調整電圧を基準設定電圧より低い第１固定値に設定する高車速制御手段３０を備え、前記登坂走行検出手段である傾斜角検出センサ２６により登坂走行時であると検出され、回生発電制御領域に入っている場合でも回生発電を禁止し、前記高車速制御手段３０を実施する構成を有していることにより、登坂走行時において、アクセルを一瞬戻すような状況でも、必要以上に減速感を運転者に与えることがなく、スムーズな走行を実現可能である。
【実施例３】
【００９０】
図６はこの発明の第３実施例を示すものである。
【００９１】
この第３実施例の特徴とするところは、降坂走行時を考慮するために、降坂走行しているかどうかを検出可能な降坂走行検出手段を備えした点にある。
【００９２】
すなわち、図１を参照すれば、車両に、エンジン２と前記エンジン２によって駆動される発電機４とこの発電機４により充電可能なバッテリとを搭載し、前記発電機４の発電状態を制御する車両用発電制御装置６において、前記車両の減速状態を検出する減速状態検出手段２８を備え、車両速度を検出可能な車速検出手段である車速センサ１６を備え、降坂走行しているかどうかを検出可能な降坂走行検出手段として機能させる傾斜角検出センサ２６を備え、前記減速検出手段２８により減速状態であると検出され、燃料カット状態で、かつ前記車速検出手段である車速センサ１６により検出された車速が設定された値より高い場合に、前記発電機４の調整電圧を基準設定電圧より低い第１固定値に設定する高車速制御手段３０を備え、前記降坂走行検出手段である傾斜角検出センサ２６により降坂走行時であると検出されたときには、前記高車速制御手段３０を実施する構成を有している。
【００９３】
詳述すれば、降坂時、傾斜角検出センサ２６等の入力、あるいはエンジン回転数と車速から降坂と推測された場合は、空走時の加速感を抑制するために、惰行時制御は禁止される。
【００９４】
また、登降坂状態を繰り返す状況では、登坂までの判定が間に合わない場合もあるため、降坂判定をした場合に、一定時間の惰行時制御を禁止する制約を設ける。
【００９５】
図６の前記車両用発電制御装置６の制御用フローチャートに沿って説明する。
【００９６】
制御用プログラムが開始され、燃料カット開始の処理（３００）に移行すると、車速が設定された値Ｖｓｐｈｈの惰行時カット領域以上であるか否かの判断（３０２）を行い、この判断（３０２）がＹＥＳの場合には、一定時間の惰行時カットを禁止する処理（３０４）に移行し、判断（３０２）がＮＯの場合には、傾斜角検出センサ２６による降坂判定、つまり降坂走行であるか否かの判断（３０６）に移行する。
【００９７】
そして、この傾斜角検出センサ２６による降坂判定、つまり降坂走行であるか否かの判断（３０６）において、判断（３０６）がＹＥＳの場合には、上述の一定時間の惰行時カットを禁止する処理（３０４）に移行し、判断（３０６）がＮＯの場合には、オートマチック車両（「ＡＴ車両」ともいう。）による降坂判定情報であるか否かの判断（３０８）に移行する。
【００９８】
このオートマチック車両（「ＡＴ車両」ともいう。）による降坂判定情報であるか否かの判断（３０８）において、判断（３０８）がＹＥＳの場合には、上述の一定時間の惰行時カットを禁止する処理（３０４）に移行し、判断（３０８）がＮＯの場合には、車速、エンジン回転数による降坂判定、つまり降坂走行であるか否かの判断（３１０）に移行する。
【００９９】
また、車速、エンジン回転数による降坂判定、つまり降坂走行であるか否かの判断（３１０）において、この判断（３１０）がＹＥＳの場合には、上述の一定時間の惰行時カットを禁止する処理（３０４）に移行する。
【０１００】
さすれば、車両に、エンジン２と前記エンジン２によって駆動される発電機４とこの発電機４により充電可能なバッテリとを搭載し、前記発電機４の発電状態を制御する車両用発電制御装置６において、前記車両の減速状態を検出する減速状態検出手段２８を備え、車両速度を検出可能な車速検出手段である車速センサ１６を備え、降坂走行しているかどうかを検出可能な降坂走行検出手段として機能させる傾斜角検出センサ２６を備え、前記減速検出手段２８により減速状態であると検出され、燃料カット状態で、かつ前記車速検出手段である車速センサ１６により検出された車速が設定された値より高い場合に、前記発電機４の調整電圧を基準設定電圧より低い第１固定値に設定する高車速制御手段３０を備え、前記降坂走行検出手段である傾斜角検出センサ２６により降坂走行時であると検出されたときには、前記高車速制御手段３０を実施する構成を有することにより、降坂走行時において、アクセルを一瞬戻すような状況でも、必要以上に加速感を運転者に与えることがなく、スムーズな走行を実現可能である。
【実施例４】
【０１０１】
図７はこの発明の第４実施例を示すものである。
【０１０２】
この第４実施例の特徴とするところは、アイドル・ストップ（「ＩＳ」ともいう。）装置を有する車両とした点にある。
【０１０３】
すなわち、アイドル・ストップ装置は、このアイドル・ストップ装置を持つ車両において、惰行時にニュートラルやクラッチを踏み込んだりして動力を遮断した際に、車速に応じてアイドル・ストップを行うものである。
【０１０４】
そして、低車速で再始動するための強制的な伝達手段を持つ場合（特開２００４−４４８００号公報参照）に有効である。
【０１０５】
つまり、このような車両では、動力が遮断されない状況下で、上述の惰行時制御が適用である。
【０１０６】
強制的な動力伝達、遮断方法を持たない通常のアイドル・ストップ車両においては、同様にアイドル・ストップの高く、バッテリＳＯＣや残容量の低下速度、あるいは絶対量による閾値で、上述した惰行時制御の許可・禁止を選択することができる。
【０１０７】
図７の車両用発電制御装置の制御用フローチャートに沿って説明する。
【０１０８】
制御用プログラムが開始（４００）されると、減速時燃料カット開始か否かの判断（４０２）を行い、この判断（４０２）がＹＥＳの場合には、車速が設定された値Ｖｓｐｈｈより高い、例えば以上であるか否かの判断（４０４）に移行する。
【０１０９】
そして、車速が設定された値Ｖｓｐｈｈより高い、例えば以上であるか否かの判断（４０４）において、この判断（４０４）がＮＯの場合には、車速が設定された第２の値Ｖｓｐｌｈより低いか否かの判断（４０６）に移行し、判断（４０４）がＹＥＳの場合には、惰行時カットの処理（４０８）に移行する。
【０１１０】
このとき、前記設定された値Ｖｓｐｈｈと設定された第２の値Ｖｓｐｌｈとは、
Ｖｓｐｈｈ＞Ｖｓｐｈｌ＞Ｖｓｐｌｈ
の関係を満足させるものとする。
【０１１１】
また、上述の車速が設定された第２の値Ｖｓｐｌｈより低いか否かの判断（４０６）において、この判断（４０６）がＹＥＳの場合には、回生制御の処理（４１０）に移行し、発電機の調整電圧を通常の調整電圧である基準設定電圧より高い調整電圧である第２固定値に設定する処理（４１２）に移行するとともに、判断（４０６）がＮＯの場合には、通常制御の処理（４１４）に移行し、前記発電機の調整電圧を通常の調整電圧である基準設定電圧に設定する処理（４１６）に移行する。
【０１１２】
上述した惰行時カットの処理（４０８）の後には、前記発電機の調整電圧を通常の調整電圧である基準設定電圧より低い調整電圧である第１固定値に設定する処理（４１８）に移行し、発電機の調整電圧である第１固定値がバッテリ開放電圧以上であるか否かの判断（４２０）に移行する。
【０１１３】
この判断（４２０）がＹＥＳの場合には、大きな容量のバッテリに向いた設定方法で、電圧降下速度が小さく、効果が期待できるヴァリエーションＡに移行し、判断（４２０）がＮＯの場合には、バッテリの容量や各種情報を監視する必要があるヴァリエーションＢに移行する。
【０１１４】
つまり、判断（４２０）がＹＥＳの場合に、ヴァリエーションＡに移行した際には、バッテリ電圧が発電機の調整電圧である第１固定値まで下降しても放電しないため、解除指示があるまで制御を継続する処理（４２２）に移行し、以下のいずれかの条件が成立するか否かの判断（４２４）に移行する。
（１）所定時間経過
（２）燃料カット終了
（３）車速＜Ｖｓｐｈｌとなった。
【０１１５】
そして、判断（４２４）において、いずれかの条件が成立し、判断（４２４）がＹＥＳの場合には、発電機の調整電圧を、第１固定値から通常の調整電圧である基準設定電圧に移行させる処理（４２６）に移行し、その後に後述する制御用プログラムの終了（４３６）に移行するとともに、いずれの条件も成立せず、判断（４２４）がＮＯの場合には、以下のいずれかの条件が成立するか否かの判断（４２８）に移行する。
（１）ニュートラルかつクラッチ踏み込みを検出（ＭＴ）
（２）Ｎレンジとなった。（ＡＴ）
（３）アイドル・ストップ車両条件範囲になる。
【０１１６】
この判断（４２８）において、いずれかの条件が成立し、判断（４２８）がＹＥＳの場合には、アイドル・ストップ制御に移行する処理（４３０）に移行し、いずれの条件も成立せず、判断（４２８）がＮＯの場合には、発電機の調整電圧である第１固定値がバッテリ開放電圧以上であるか否かの判断（４２０）に戻る。
【０１１７】
また、上述の発電機の調整電圧である第１固定値がバッテリ開放電圧以上であるか否かの判断（４２０）において、この判断（４２０）がＮＯの場合に、ヴァリエーションＢに移行した際には、以下のいずれかの条件が成立するか否かの判断（４３２）に移行する。
（１）所定時間経過
（２）ＳＯＣ下限閾値以下となった。
（３）当該カット放電許容値を超えた。
（４）燃料カット終了
（５）車速＜Ｖｓｐｈｌとなった。
【０１１８】
そして、判断（４３２）において、いずれの条件も成立せず、判断（４３２）がＮＯの場合には、以下の
（１）ニュートラルかつクラッチ踏み込みを検出（ＭＴ）
（２）Ｎレンジとなった。（ＡＴ）
（３）アイドル・ストップ車両条件範囲になる。
のいずれかの条件が成立するか否かの判断（４２８）に移行し、これらのいずれかの条件が成立し、判断（４３２）がＹＥＳとなった場合には、発電機の調整電圧を、バッテリ放電電圧以上の発電機の調整電圧である第２固定値、あるいは通常の調整電圧である基準設定電圧に移行させる処理（４３４）に移行し、その後に制御用プログラムの終了（４３６）に移行する。
【０１１９】
さすれば、減速検出手段により減速状態であると検出され、燃料カット状態で、かつ前記車速検出手段である車速センサにより検出された車速が設定された値Ｖｓｐｈｈより高い場合には、発電機の調整電圧を基準設定電圧より低い第１固定値に設定する高車速制御手段を備えることによって、アイドル・ストップ装置を有する車両においても、前記発電機がエンジンの負荷となっている時間を短縮し、燃料カット時間を延ばすことができ、燃料消費量を低減することが可能となるものである。
【０１２０】
なお、この発明は上述第１〜第４実施例に限定されるものではなく、種々の応用改変が可能である。
【０１２１】
例えば、燃料電池を搭載する車両においても、搭載する始動用バッテリへの回生を行う制御を持つ車両では、この発明の第１実施例に記載したような惰行時運転を同様に適用できるものである。
【０１２２】
さすれば、車速によって切り分けられた制御は、高速では燃料電池の燃料消費を低減することができる。
【０１２３】
また、純電気自動車においても、回生と惰行時運転とを切り替えることにおいて効果がある。なお、回生等の電力は、１２Ｖや４２Ｖ系の電装品用バッテリではなく、駆動用バッテリに回収される。
【０１２４】
さすれば、高速時に回生を行うことにより、再加速と回生とを繰り返すことがなく、一充電走行距離を伸ばすことが可能となる。
【０１２５】
更に、ハイブリッド車両でもバッテリの管理に関しては同様であり、上述の純電気自動車に準ずるものである。
【０１２６】
そして、燃料消費に関しては、通常のエンジン車両に対する効果に準ずるものである。
【図面の簡単な説明】
【０１２７】
【図１】この発明の第１実施例を示す車両用発電制御装置の制御用フローチャートである。
【図２】車両用発電制御装置のシステム図である。
【図３】車両用発電制御装置の基本動作説明図である。
【図４】車両用発電制御装置の第１固定値位置による動作の違いについて説明した図である。
【図５】この発明の第２実施例を示す車両用発電制御装置の制御用フローチャートである。
【図６】この発明の第３実施例を示す車両用発電制御装置の制御用フローチャートである。
【図７】この発明の第４実施例を示す車両用発電制御装置の制御用フローチャートである。
【符号の説明】
【０１２８】
２  エンジン
４  発電機（「オルタネータ」ともいう。）
６  車両用発電制御装置
８  駆動伝達部材
１０  エンジン制御装置
１２  水温センサ
１４  吸気温センサ
１６  車速センサ
１８  ブースト圧センサ
２０  スロツトルポジションセンサ
２２  バッテリ充放電電流検出センサ
２４  電気負荷電流検出センサ
２６  傾斜角検出センサ
２８  減速状態検出手段
３０  高車速制御手段
【図１】
2006249986.tif 000003
【図２】
2006249986.tif 000004
【図３】
2006249986.tif 000005
【図４】
2006249986.tif 000006
【図５】
2006249986.tif 000007
【図６】
2006249986.tif 000008
【図７】
2006249986.tif 000009